(57)【要約】      （修正有）【課題】直線状以外のキー配列が可能、密封構造、操作感を良好としながら、操作時の内部空間の変動をスイッチ内部に開放するようにしたキーボード用スイッチを提供する。【解決手段】上面に、可動電極２２を有する膨出部材１６と固定電極１８とを設け、固定電極の近傍に貫通した通気孔２３を設けたメンブレンシート１２と、メンブレンシートの下面側に固定電極支持体１３および膨出部材支持体１４と、両支持体とを介してメンブレンシートと反対側に設けたベースプレート１１とからなり、膨出部材１６は固定電極とその近傍の通気孔２３を覆うように設け、メンブレンシートとベースプレートにより通気孔に連通する空間を構成し、膨出部材とメンブレンシートにより形成される空間２９（Ａ）とメンブレンシートとベースプレートと支持体により画成される空間２１（Ｂ）とを通気孔を介して連通したことを特徴とする。【選択図】図１
2005011707.tif 000002
【特許請求の範囲】
【請求項１】
上面に、可動電極を備えた膨出部材と複数の固定電極と配線とを設け、前記固定電極の近傍に上面から下面へ貫通した通気孔を設けたメンブレンシートと、前記メンブレンシートの下面側に前記固定電極に対向して設けた電極支持体および前記膨出部材に対向して設けた膨出部材支持体と、前記両支持体を介して前記メンブレンシートと反対側に設けたベースプレートとからなり、前記膨出部材は前記固定電極とその近傍の前記通気孔を覆うように設け、前記メンブレンシートと前記ベースプレートにより前記通気孔に連通する空間を構成し、前記膨出部材と前記メンブレンシートにより形成される空間と前記メンブレンシートと前記ベースプレートと前記両支持体により画成される空間とを前記通気孔を介して連通したことを特徴とするキーボード用スイッチ。
【請求項２】
前記膨出部材は、可撓性を有するキャップとしたことを特徴とする請求項１記載のキーボード用スイッチ。
【請求項３】
前記膨出部材は、反転特性を備えたドーム状突出部を有するシートとスペーサシートとの積層体としたことを特徴とする請求項１記載のキーボード用スイッチ。
【請求項４】
前記膨出部材支持体に連通孔を設け、前記通気孔に連通させたことを特徴とする請求項１乃至３のいずれか１項記載のキーボード用スイッチ。
【請求項５】
前記両支持体は、矩形領域内に、中心部に円形の固定電極領域よりも広めの円形の固定電極支持体を形成し、前記固定電極支持体の周囲と、前記周囲の９０度間隔に設けた４点からそれぞれ矩形各辺の中心に開放する連通路を形成した形状としたことを特徴とする請求項４記載のキーボード用スイッチ。
【請求項６】
前記両支持体は、十字路の交差点を縦の線状体と横の線状体により表した形状とし、縦の線状体と横の線状体が直角に交わる交点近傍で固定接点支持体を構成し、十字路の交点中心から所定半径の位置で前記膨出部材支持体を構成したことを特徴とする請求項４記載のキーボード用スイッチ。
【請求項７】
前記両支持体は、請求項５における前記連通路を線状体で形成したことを特徴とする請求項５記載のキーボード用スイッチ。
【請求項８】
前記両支持体は、請求項５における前記膨出部材支持体をリング４分割体としたことを特徴とする請求項５記載のキーボード用スイッチ。
【請求項９】
前記膨出部材支持体は、請求項８における前記リング４分割体を中心から放射状に設けた複数の直線状線状体としたことを特徴とする請求項８記載のキーボード用スイッチ。
【請求項１０】
前記膨出部材支持体は、前記メンブレンシートの通気孔を前記固定電極支持体の周囲の複数箇所に配置できるように構成されていることを特徴とする請求項１乃至９のいずれか１項記載のキーボード用スイッチ。
【請求項１１】
前記メンブレンシートと前記ベースプレートの対向する面のいずれかに前記面の周囲を囲む隔壁を設け、前記メンブレンシートと前記ベースプレートと前記隔壁により前記通気孔以外に開孔を有しない密封空間を構成することを特徴とする請求項１乃至１０のいずれか１項記載のキーボード用スイッチ。
【発明の詳細な説明】
【０００１】
【発明の属する技術分野】本発明は、塵や埃、水滴等がスイッチ内部の接点や配線等に悪影響を与えないように密封したキーボード用スイッチに関し、特に内部回路等の上にキーボードを配置するノート型のパーソナルコンピュータ等に搭載されるキーボード用スイッチに関する。
【０００２】
【従来の技術】従来のキーボード用スイッチは、キートップの押し下げ操作を接点の開閉動作に変換するための機構として、キートップに連結されるキャップ状（縁なし帽子状、杯状）のラバーキャップを用いるタイプ（例えば、特許文献１参照）やキートップを兼用するドーム状バネ体を用いるタイプ（例えば、特許文献２参照）等がある。これらのタイプの場合、前記接点の形式は、スペーサを介して上下の接点を対向配置するメンブレンスイッチの形式や、基板上に設けた固定接点対をラバーキャップやドーム状バネ体の裏面に設けた可動接点で橋絡するスイッチの形式となる。
【０００３】
そのため、操作時、キートップの押圧操作によりラバーキャップやドーム状バネ体が座屈又は反転すると、ラバーキャップやドーム状バネ体の内部の空気が急激に圧縮され、キートップに対し押し下げ力に対向する反発力として作用し、操作力や操作ストロークを変動させ、これによって、最終的に接点のチャタリングやバウンシング等を発生させるおそれがあった。
【０００４】
この問題を解決するために、従来、
（１）前記ラバーキャップやドーム状バネ体の内部空間と外部（雰囲気）空間を連通する例、
（２）前記ラバーキャップやドーム状バネ体等の内部空間と連通する空気溜め用の空間をキーボード用スイッチ内部に形成する例、が提案されている。
【０００５】
（１’）  前記（１）の例として、具体的には、下記（ａ）（ｂ）の例がある。
【０００６】
（ａ）前記ラバーキャップにその内外を連通するエアベント相当部を設ける例（例えば、特許文献４、特許文献５参照）、
（ｂ）前記固定接点対を設けた基板に貫通孔を設け、前記固定接点対を覆うように設けたラバーキャップの内部空間を前記貫通孔を介し直接基板裏面側の外部空間に連通する例（例えば、特許文献６参照）。
【０００７】
（２’）  同じく、前記（２）の例としては、下記（ｃ）（ｄ）（ｅ）の例がある。
【０００８】
（ｃ）図８は従来のドームスイッチ（キーボード用スイッチ）２０１の構成図である。図８は、内側頂部（図示しない）に可動電極を設け、複数のドーム状バネ体からなる突出部２０７を設けた表シート２０２と、複数の貫通孔２０９が突出部２０７の位置に対応して形成され、各貫通孔２０９の間にはスリット状の空気逃がし部２１０が形成されているスペーサシート２０３と、固定電極２１１と配線および空気逃がし穴２０６を設けたフレキシブルプリント基板（ＦＰＣ）２０４と、空気逃がし穴２１２を設けた粘着シート２０５とを積層し、空気逃がし部２１０と空気逃がし穴２０６および２１２とを連通して、空気逃がし部２１０を粘着シート２０５の下面空間に開放する。押圧操作により突出部２０７がＦＰＣ２０４に向けて反転すると、突出部２０７の内側にあった空気が貫通孔２０９を介して空気逃がし部２１０へ逃げるようになっている例（特許文献２参照）、（ｄ）図９は従来のラバーキャップを用いるキーボード用スイッチの構成図である。図９（ａ）は、キーボード用スイッチの分解斜視図であり、図９（ｂ）は接点部分の平面図であり、図９（ｃ）はスペーサシートの平面図である。
【０００９】
絶縁性シート１３０は、開口１６０ａにキートップ１５０を配置する保持プレート１６０と、固定電極１３２，１３３および配線を設け、固定電極１３２，１３３の近傍に貫通孔となる穴部１３０ｆを設け、固定電極１３２，１３３と穴部１３０ｆを覆うように裏面頂部に可動電極（図示省略）を設けたラバーキャップ１４０を貼り付けて構成する。この絶縁性シート１３０と、ラバーキャップ１４０に対向し幅寸法を同じにした複数本の長孔部１２２を設けたスペーサシート１２０と、ベースプレート１１０とを積層し、前記穴部１３０ｆと前記長孔部１２２を連通するように位置決めしておく。
【００１０】
キートップ１５０の押圧操作によりラバーキャップ１４０が押圧されると、ラバーキャップ１４０の内部の空気は、穴部１３０ｆを通じて長孔部１２２内に放出され、長孔部１２２の空間内で吸収されるようになっている例（特許文献１参照）、
（ｅ）図１０は従来のメンブレン形キーボード用スイッチの構成図である。図１０（ａ）は要部分解斜視図、図１０（ｂ）は両スペーサーを重ね合わせた構成図、図１０（ｃ）は図１０（ｂ）のＡＡ’断面図、図１０（ｄ）は図１０（ｂ）のＢＢ’断面図である。
【００１１】
図１０（ａ）のメンブレンキーボードスイッチは、図８の例のようにキートップが膨出するものではないが、上面に開口を有することなく防水・防塵構造になっていて、押圧操作時の操作部下方の空気を移動させることができる構造、特に電極および配線を有する上部シートを支持し、且つ、空気抜き構造を採ったスペーサ（支持体ともいえる）構造が、先の２例（ｃ）（ｄ）と関連するのでここで述べておく。
【００１２】
メンブレンキーボードスイッチは、上部シート３０１、下部シート３０２、ブラケット３０３の３層構造をとる。上部シート３０１の下面には、上部電極３０４と、この上部電極３０４を包囲するように小面積の上部スペーサ３０６が設けてある。上部スペーサ３０６には、円形の上部電極３０４の周囲に環状の上部スイッチ空間３０８を形成するように円形の開孔を設け、環状の上部スイッチ空間３０８に図１０（ｂ）に示す細幅の上部エア抜き通路３１２を形成し、上部エア抜き通路３１２の先には大きい容積の上部エア溜まり空間３１０を設けてある。図１０（ａ）の下部シート３０２の上面には、下部電極３０５と、この下部電極３０５を包囲するように上部スペーサ３０６と２箇所のみ部分的に異なる形状の下部スペーサ３０７が設けてある。
【００１３】
下部スペーサ３０７には、円形の下部電極３０５の周囲に環状の下部スイッチ空間３０９を形成するように円形の開孔を設け、この円形の開孔から離間して前記上部エア溜まり空間３１０に対応する図１０（ｂ）に示す下部エア溜まり空間３１１を設け、この下部エア溜まり空間３１１に細幅の下部エア抜き通路３１３を形成してある。上部エア抜き通路３１２と下部エア抜き通路３１３の位置は上部および下部の同形のエア溜まり空間３１０、３１１の対向する位置に設けてある。両シート３０１および３０２は両スペーサ３０６および３０７を対向状態で接合するように配置する。
【００１４】
この構成により、図１０（ｂ）、図１０（ｃ）および図１０（ｄ）に示すように、下部スイッチ空間３０９→上部スイッチ空間３０８→上部エア抜き通路３１２→上部エア溜まり空間３１０→下部エア溜まり空間３１１→下部エア抜き通路３１３→外部空間３１７、に連なる連通路が形成できる。上下のエア抜き通路３１２および３１３は、狭い幅で、エア溜まり空間３１０および３１１の両端に上下に分けて設けられているので、空気の流速は小さく抑えられ、さらにエア溜まり空間により、流速が弱められるので、外部空気に混入している塵埃等をエア溜まり空間３１０および３１１に沈降させることができる例（特許文献３参照）、がある。
【００１５】
【特許文献１】特開２００２−２７９８５４号公報
【００１６】
【特許文献２】特開２００２−１７０４５７号公報
【００１７】
【特許文献３】特開２００１−１１８４５８号公報
【００１８】
【特許文献４】特開２００１−１００８８９号公報
【００１９】
【特許文献５】特開平０８−２５５５３０号公報
【００２０】
【特許文献６】特開２０００−２４３１７９号公報
【００２１】
【特許文献７】特開平１０−２４３０７５号公報
【００２２】
【特許文献８】特開平０８−１３７５９２号公報
【００２３】
【特許文献９】特開平１１−０８５３５５号公報
【００２４】
【発明が解決しようとする課題】
前記（ａ）および（ｂ）の例の場合、電極を内部に収納するラバーキャップやドーム状バネ体の内部空間が、キーボード上面から塵埃や水滴等が侵入することになるため、内部空間の圧力変動を調節する点では効果があるが、電極等が塵埃や水滴等に曝されて好ましくない。
【００２５】
前記（ｃ）の例では、図８に示すように、表シート２０２とＦＰＣ２０４とに挟まれた薄肉のスペーサシート２０３の貫通孔２０９およびこの貫通孔２０９をつなぐ空気逃がし部２１０と、ＦＰＣ２０４の空気逃がし穴２０６と、粘着シート２０５の空気逃がし穴２１２とにより空気逃がし構造を構成するが、空気逃がし部２１０の容積が必要十分でなく、この容積の十分でない空気逃がし部２１０に寸法を合わせて空気逃がし穴２０６、およびこの空気逃がし穴２０６に寸法を合わせて空気逃がし穴２１２を設けたので、突出部２０７の押圧操作、特に複数の突出部２０７を同時に押圧操作した時の突出部内の空気の移動をスムーズに行うことができない。このため、突出部２０７を押圧操作した際のクリック感に好ましくない影響の出ることがある。
【００２６】
前記（ｄ）の例では、図９に示すように、長孔部１２２の容積は、１個のラバーキャップ１４０の内部の空気を吸収できるボリュームを有するが、しかし、複数のキートップ１５０を同時に押圧操作するときには、このままでは、移動した空気量を吸収できなくなる欠点がある。
【００２７】
即ち、複数のキートップ１５０を同時に押圧操作した場合には、複数のラバーキャップ１４０内部の空気が各穴部１３０ｆを通じて長孔部１２２に放出され、その長孔部１２２の空間内で一部吸収される。そして、吸収されない空気は長孔部１２２から別の各通気孔１３０ｇを通じて外部に放出されることになる。この通気孔１３０ｇは、絶縁性シート１３０におけるラバーキャップ１４０の外側近傍に貫通孔として形成され、前記長孔部１２２に連通している。
【００２８】
この例の場合、ラバーキャップ１４０内の内部空間は最終的に通気孔１３０ｇを介して外部空間に連通することになり、完全な密封を保持することはできなくなると共に、通気口１３０ｇにより空気の移動量が絞られ、空気の流速が低下させられるので、クリック感に悪い影響がでる。
【００２９】
また、前記（ｄ）の例では、ラバーキャップ１４０内の１個の通気口１３０ｆが長孔部１２２に連通しているが、長孔部１２２の形状が直線状になっているため、ラバーキャップ１４０に搭載されるキートップ１５０の配列が直線状の配列形態しかとれず、図１１（ａ）の直線状配列以外の図１１（ｂ）〜図１１（ｄ）に代表されるキー配列を採用することが不可能になる。図１１は、従来のキー配列を示す図である。
【００３０】
図１１（ｂ）は、把持型機器用キーボードを備えた携帯電話機を示し、キーは筐体の基部寄りの１側、即ち、操作する指の根本に相応する起点Ｐ付近を中心とするほぼ円弧状に３重列に配設する例（特許文献７参照）である。
【００３１】
また、図１１（ｃ）は、文字入力装置を示し、直列配置以外の図示のとおりの変則配置されたキー配列を表した例（特許文献８参照）である。
【００３２】
図１１（ｄ）は、キーボード装置を示し、キー全体を左右に分割して逆ハの字形に配置し、キー操作時における操作者の手や腕のねじれを小さくし、キーの操作性を向上した例（特許文献９参照）である。これと同様のキー配列は、人間工学（エルゴノミクス）に基づくデザインを採用したキーボードとしてよく知られている。
【００３３】
即ち、前記（ｄ）の例では、上記図１１（ｂ）〜図１１（ｄ）に示されるような直線状以外のキー配列に対応できないという問題があった。
【００３４】
前記（ｅ）の例では、前記（ｃ）および（ｄ）に示すように、固定電極および配線を設けたフレキシブルプリント基板やシートに空気逃がし部や穴部を設ける構造を採用するものでないのは構造上自明ではあるが、問題点を上げると、（１）押圧操作時、クリック動作や座屈動作を行うものでなく、単に押圧操作するものなので操作時の空気の移動が比較的緩やかで、そのまま前記（ｃ）および（ｄ）に示すようなクリック動作や座屈動作に伴う空気の急峻な流れを遅滞なく維持することはできない。また、（２）押圧操作時、図１０（ａ）に示すように、スイッチ空間３０８および３０９から外部３１７へ移動する空気の流速を遅くして停滞させる構造を採用しているので、空気の急峻な流れを遅滞なく維持する必要のある、クリック動作や座屈動作を行うものに適用することはできない。さらに、（３）前記連通路の構造が上部と下部のスペーサに分かれ複雑なので、この上部と下部のスペーサを一般的な１枚のスペーサや支持体として構成することはできない。
【００３５】
本発明の目的は、上記問題点に鑑み、直線状以外のキー配列を可能し、密封構造にすると共に、操作感を良好にしながら、操作時に変動する膨出部材の内部空間の変動をキーボード用スイッチ内部に開放するようにしたキーボード用スイッチを提供することにある。
【００３６】
【課題を解決するための手段】
本発明は、上記目的を達成するために、下記の解決手段を採用する。
【００３７】
本発明は、主に、ラバーキャップやドーム状バネ構造体からなる膨出部材を押圧操作した時のクリック動作に伴って生じる流体の移動を、従来のようにスペーサシートに空気逃げ部となる長孔部を設けて吸収したり、貫通孔を介して外部へ逃がすようにするのではなく、即ち、必要な容積の穴を形成しようとしたり、小さな空気逃がし穴を何段も通過させたり、空気の移動を停滞させるようにするのではなく、スペーサシートを無くして空間にし、その空間内の必要な所にだけ移動空気の流速が落ちることのない最小限の構造物、例えば、空気の移動を妨げない支持体、を設けるようにしたことを特徴とする。
【００３８】
これにより、従来使われていなかったスペーサシートの大部分の容積を速応する空気逃げ部として使用することができるようになり、そのため、密封構造を採りながら、空気逃がし空間の容積と空気流速を格段に増加することができるようになる。
【００３９】
また、前記支持体は、メンブレンシート下の空間とメンブレンシートの通気孔に連通する通路を複数の異なる位置に設けることができるように構成することを特徴とする。
【００４０】
これにより、キー配列が多少変動しても十分に空気を逃がす通路を確保することができるようになる。
【００４１】
また、前記支持体は、中央部から周囲へ直線状に広がる通路を有するので、操作時の空気の移動をスムーズに行うことができる。
【００４２】
なお、膨出部材は、電極および必要な配線を施した基板（実施例の場合、メンブレンシートが相当する）上に、少なくとも前記電極を覆い且つ前記基板および電極から離れる方向にふくれて大きく突出し、クリック動作（節動動作、座屈動作）を行う部分（実施例の場合、スカート部、突出部が相当する）と、それに連なり、可動電極と固定電極の絶縁距離を確保すると共にクリック動作のための空間を確保するスペーサ部分（実施例の場合、鍔部、スペーサシートが相当する）とからなる構造体をいう。
【００４３】
以下、具体的な解決手段を説明する。
（１）  キーボード用スイッチにおいて、上面に、可動電極を備えた膨出部材と複数の固定電極と配線とを設け、前記固定電極の近傍に上面から下面へ貫通した通気孔を設けたメンブレンシートと、前記メンブレンシートの下面側に前記固定電極に対向して設けた電極支持体および前記膨出部材に対向して設けた膨出部材支持体と、前記両支持体を介して前記メンブレンシートと反対側に設けたベースプレートとからなり、前記膨出部材は前記固定電極とその近傍の前記通気孔を覆うように設け、前記メンブレンシートと前記ベースプレートにより前記通気孔に連通する空間を構成し、前記膨出部材と前記メンブレンシートにより形成される空間と前記メンブレンシートと前記ベースプレートと前記両支持体により画成される空間とを前記通気孔を介して連通したことを特徴とする。
（２）  上記（１）記載のキーボード用スイッチにおいて、前記膨出部材は、可撓性を有するキャップとしたことを特徴とする。
（３）  上記（１）記載のキーボード用スイッチにおいて、前記膨出部材は、反転特性を備えたドーム状突出部を有するシートとスペーサシートとの積層体としたことを特徴とする。
（４）  上記（１）乃至（３）のいずれか１項記載のキーボード用スイッチにおいて、前記膨出部材支持体に連通孔を設け、前記通気孔に連通させたことを特徴とする。
（５）  上記（４）記載のキーボード用スイッチにおいて、前記両支持体は、矩形領域内に、中心部に円形の固定電極領域よりも広めの円形の固定電極支持体を形成し、前記固定電極支持体の周囲と、前記周囲の９０度間隔に設けた４点からそれぞれ矩形各辺の中心に開放する連通路を形成した形状としたことを特徴とする。
（６）  上記（４）記載のキーボード用スイッチにおいて、前記両支持体は、十字路の交差点を縦の線状体と横の線状体により表した形状とし、縦の線状体と横の線状体が直角に交わる交点近傍で固定電極支持体を構成し、十字路の交点中心から所定半径の位置で前記膨出部材支持体を構成したことを特徴とする。
（７）  上記（５）記載のキーボード用スイッチにおいて、前記両支持体は、上記（５）における前記連通路を線状体で形成したことを特徴とする。
（８）  上記（５）記載のキーボード用スイッチにおいて、前記両支持体は、上記（５）における前記膨出部材支持体をリング４分割体としたことを特徴とする。
（９）  上記（８）記載のキーボード用スイッチにおいて、前記膨出部材支持体は、上記（８）における前記リング４分割体を中心から放射状に設けた複数の直線状線状体としたことを特徴とする。
（１０）  上記（１）乃至（９）のいずれか１項記載のキーボード用スイッチにおいて、前記膨出部材支持体は、前記メンブレンシートの通気孔を前記固定電極支持体の周囲の複数箇所に配置できるように構成されていることを特徴とする。
（１１）  上記（１）乃至（１０）のいずれか１項記載のキーボード用スイッチにおいて、前記メンブレンシートと前記ベースプレートの対向する面のいずれかに前記面の周囲を囲む隔壁を設け、前記メンブレンシートと前記ベースプレートと前記隔壁により前記通気孔以外に開孔を有しない密封空間を構成することを特徴とする。
【００４４】
【発明の実施の形態】
本発明のキーボード用スイッチについて実施の形態を図１乃至図６に基づいて以下詳細に説明する。まず、ラバーキャップ型の第１実施例における、（１）キーボード用スイッチの構成を説明し、（２）固定電極とそれに連なる配線を説明し、（３）支持体のパターンを説明し、（４）固定電極と支持体とラバーキャップの配置関係を説明し、（５）メンブレンシート上に案内支持機構を設ける工程を説明する。次に、（６）ドーム型の第２実施例について説明し、（７）完全密封構造の第３実施例について説明する。第１実施例および第２実施例は、前記膨出部材の異なるタイプに関する実施の形態を示す。
（第１実施例）
本発明の第１実施例は、膨出部材としてラバーキャップを用いる場合の実施の形態である。
【００４５】
図１は本発明のキーボード用スイッチの断面図である。
【００４６】
図１に示すように、キーボード用スイッチは、主に、アルミニウム等の金属からなる平板状のベースプレート１１と、ベースプレート１１上に載置される固定電極支持体１３およびラバーキャップ支持体１４と、前記両支持体１３および１４上に配設されるメンブレンシート１２と、このメンブレンシート１２上に取付けられたラバーキャップ（弾性キャップ）１５と、メンブレンシート１２上に重ね合わせて固定され、ラバーキャップ（弾性キャップ）１５を遊挿させるための矩形の開孔を有する板状ホルダ８０と、ラバーキャップ１５を押し下げ駆動するキートップ１６と、板状ホルダ８０に下部が支承され、キートップ１６を支持し且つ上下動の案内を行うように略中心で相互に軸支された略Ｘ字状の案内支持機構１７から構成されている。
【００４７】
上記メンブレンシート１２は、ポリエチレンテレフタレート、ポリエステル等の樹脂フィルムからなる透明で絶縁性を有するベースシートに、導電性インクからなる導電パターン、例えば、固定電極１８や配線１９をスクリーン印刷等により形成した、一種のフレキシブル回路基板（ＦＰＣ）になっている。
【００４８】
導電パターンは、キーボード用スイッチの全体形状および仕様により種々の形態をとるが、基本的には、種々の形状の固定電極対とこれに連なる配線パターンとからなる。
【００４９】
図２は本発明の導電パターンの１実施の形態を示す図である。
【００５０】
固定電極１８を除く配線１９には必要に応じてレジスト膜（図示しない）が被覆形成され、メンブレンシートをスイッチ内へ積層した際に、摩擦により導電パターンが剥離・断線することを防止するようになっている。
【００５１】
図２に示すように、固定電極１８は、一対の電極で橋絡型に構成され、一対づつ所定の間隔に並設して配置されている。固定電極１８は、可動電極により橋絡接触が確実になるような形状ならば任意の形状が採用でき、特に櫛歯状が好ましい。
【００５２】
図１のメンブレンシート１２の下面には、固定電極支持体１３とラバーキャップ支持体１４からなる支持体が設けられている。支持体は、樹脂製で、メンブレンシート１２に対し、一体成形によりまたは別体で設けられていてもよく、別体の場合、接着剤による貼着または印刷成形も可能である。支持体は、極めて薄い、所定の厚み（積層方向に見て）で形成され、固定電極１８対とラバーキャップ１５の鍔部２０をメンブレンシート１２を介して下側から支持すると共にラバーキャップ１５内の空間、正しくはラバーキャップ１５とメンブレンシート１２により画成される空間２９（Ａ）、に対し後記する通気孔２３を介して連通する空間２１（Ｂ）を形成する。図３に示すように、支持体は種々のパターンが使用可能である。
【００５３】
メンブレンシート１２には、それぞれの１対の固定電極１８の近傍にそれぞれ１つの小さな通気孔２３が形成されている。通気孔２３は、急激な空気流量の変動を吸収して、ラバーキャップ１５の良好なクリック感が得られるように、１個のラバーキャップ１５に対し複数個設けることも可能である。詳しくは後述する。
【００５４】
メンブレンシート１２とベースプレート１１で画成する空間２１（Ｂ）は、固定電極１８又はラバーキャップ１５の鍔部２０が載る程度の多少広めの面積領域を占有する固定電極支持体１３およびラバーキャップ支持体１４以外の部分が変動空気量吸収空間になっている。空間２１（Ｂ）はキーボード用スイッチの外部空間に連通している。
【００５５】
図３は、本発明の膨出部材支持体に対する各種タイプの支持体を示す図である。本発明の各種支持体は第２実施例においても使用可能であるが、説明は第１実施例について行う。
【００５６】
支持体は、図１におけるキートップ１６を押圧操作したときの押し下げ荷重を支えることが主たる目的であり、具体的には、可動電極２２を介して荷重が掛かる固定電極１８と、ラバーキャップ１５のスカート部２４を介して荷重が掛かる鍔部２０とを支えることが主たる目的であり、ラバーキャップ１５内の空気をキーボード用スイッチ内で吸収するための空間（空間２１（Ｂ））を画成することが２次的な目的である。支持体はメンブレンシート１２の面から所定高さに形成される。
【００５７】
図３（ａ）は、矩形領域内に、中心部に円形の固定電極領域よりも広めの円形の固定電極支持体１３を形成し、固定電極支持体１３の周囲の環状通路３１と、環状通路３１の９０度間隔に設けた４点からそれぞれ矩形各辺の中心に開放する連通路３２、３３、３４、３５を形成したタイプＡの形状の支持体を示す。
【００５８】
図３（ｂ）は、前記図３（ａ）の形状から前記固定電極支持体１３を省略したタイプＢの形状の支持体を示す。
【００５９】
図３（ｃ）は、十字路の交差点構造を縦の線状体と横の線状体により形成したタイプＣの形状の支持体を示し、縦の線状体３６、３７、３８、３９と横の線状体４１、４２、４３、４４が直角に交わる交点４５近傍で固定電極支持体を構成し、十字路の交点４５中心から所定半径の位置でラバーキャップ支持体を構成する。線状体は、樹脂の多層印刷等により形成され、側面図において所定高さを有し、平面図において線状に形成する。
【００６０】
図３（ｄ）は、図３（ａ）の連通路を線状体で形成したタイプＤの形状の支持体を示す。具体的には、直線状線状体４６、４８、４９、５１、５２、５４、５５、５７と、円弧状線状体４７、５０、５３、５６を連結して構成し、樹脂の多層印刷等により形成する。円弧状線状体４７、５０、５３、５６とそれらに連なり、ラバーキャップの鍔部の幅より多少長めの直線状線状体の部分によってラバーキャップ支持体を構成する。
【００６１】
図３（ｅ）は、図３（ａ）におけるラバーキャップ支持体をリング４分割体５８、５９、６０、６１に置き換えたタイプＥの形状の支持体を示す。リングの半径方向幅はラバーキャップの鍔部幅より多少長めにする。全体の形状は、中心の固定電極支持体１３と、その周囲に環状通路３１とそれに連なる通路６２、６３、６４、６５を介してリング４分割体５８、５９、６０、６１を同心円状に配置した形状をとる。
【００６２】
図３（ｆ）は、図３（ｅ）におけるリングのリング４分割体５８、５９、６０、６１の代わりに中心から放射状に設けた複数の直線状線状体６６で置き換えたタイプＦの形状の支持体を示す。各直線と直線の間は全て通路を形成する。直線状線状体６６の長さは、図（ｅ）のリング４分割体と同じく、ラバーキャップの鍔部幅より多少長めに構成する。リング状に配置された直線状線状体６６により、ラバーキャップ支持体を構成する。
【００６３】
図３（ａ）〜図３（ｆ）の支持体の例は、図３（ｂ）の例を除いて固定電極支持体とラバーキャップ支持体を備えるのが基本であり、図３（ｂ）の支持体だけ固定電極支持体１３を省略しラバーキャップ支持体により固定電極をソフトに支持する特殊な例となる。
【００６４】
以上述べた支持体の例では、固定電極支持体１３の周囲に、少なくとも、図３（ｃ）の例でも通路分の４カ所、その他の例ではリング状に通気孔を設けることができ、さらに、少なくとも４本の通路で空間２１（Ｂ）に連通するようになっているので、キー配列が多少変動しても通気孔を設ける位置を少なくとも４方向において任意に選択することが可能になる。これにより、従来のキー配列の問題を解消することができる。
【００６５】
また、支持体は、メンブレンシート下の空間２１（Ｂ）とメンブレンシートの通気孔に連通する通路を複数の異なる位置に設けることができるように構成したので、キー配列が多少変動しても十分に空気を逃がす通路を確保することができる。
【００６６】
ラバーキャップ（弾性キャップ）１５は、図１に示すように、絶縁性のあるシリコーンゴム等のゴム製または樹脂製でキャップ状（縁なし帽子状、杯状）に形成され、キャップの頂上部分から上方に突出する筒状頂部７１と、筒状頂部７１の周囲から下向きに延びるスカート部２４と、スカート部２４の下端部分に延設された厚肉の鍔部２０とからなる下向き開放のキャップ状に一体成形されている。このラバーキャップ１５は、キャップの内側頂部に下方側に向けて一体に突出形成した押圧突起７２と、この押圧突起７２の先端に印刷形成された導電性の膜からなる可動電極２２とを備えている。
【００６７】
ラバーキャップ１５は、可動電極２２と固定電極１８とが対向するように位置決めして、鍔部２０の下面をメンブレンシート１２の上面に貼着固定してある。
【００６８】
ラバーキャップ１５が押し下げ駆動されることにより、可動電極２２が固定電極１８を橋絡する。可動電極２２は、導電性の膜の代わりに、導電製ゴム等からなる円柱状の可動電極としてもよい。
【００６９】
図４は、配線パターン上に案内支持機構を設ける説明図である。図４（ａ）は案内支持機構の平面図であり、図４（ｂ）はメンブレンシート上の固定電極まわりの配線パターン図であり、図４（ｃ）は配線パターン上に案内支持機構を取り付けた平面図である。案内支持機構は、キートップのスムーズで正確な上下動を確保する機構である。
【００７０】
図５は、案内支持機構を係止する板状ホルダの説明図である。
【００７１】
図４（ｂ）は、メンブレンシート１２を固定電極１８側（表面側）からみたところであり、裏面側の構成要素は点線で示してある。
【００７２】
メンブレンシート１２の表側には、一対の電極を対向配置した固定電極１８と、固定電極１８から出る配線１９が形成され、固定電極１８の近傍には通気孔２３が貫通した状態に形成され、これら固定電極１８と通気孔２３を覆うようにラバーキャップの鍔部２０が設けられている。
【００７３】
メンブレンシート１２の裏面側には、ラバーキャップの鍔部２０を支持するように、この鍔部２０より幅広に形成された、破線で示すリング４分割体５８、５９、６０、６１からなるタイプＥの形状の支持体が設けられている。これにより、固定電極１８は固定電極支持体１３により全面積がカバーされ確実に支持される。
【００７４】
また、固定電極１８より少し大きな面積で固定電極支持体１３が設けられている。これにより、固定電極１８は固定電極支持体１３により全面積がカバーされ確実に支持される。
【００７５】
図４（ｂ）において、メンブレンシート１２に設ける通気孔２３は、支持体の連通路に対応し、支持体の固定電極支持体１３より半径方向でみて外方で且つラバーキャップにおける鍔部２０内径より内側にシートを表面から裏面に向けて貫通して設ける。
【００７６】
図４（ｂ）では、タイプＥの形状の支持体を用いて説明したが、図３の他のタイプの形状の支持体を用いる場合も同様になるので説明は省略する。
【００７７】
図４（ａ）の案内支持機構１７は、略ロ字形の作動枠８１と略コ字形の作動腕８２を、両者の軸部８６および９１を略Ｘ字状に組み立てて構成する。作動枠８１は、中間部に軸部９１を備え略ロ字形の両側を構成する腕８９と、両側の腕８９を連結し、一方の両側に摺動ピン９０を設けた連結部８７とからなる。作動腕８２は、コ字形の両側部を構成し、一方端外側に支承ピン８５を設け、中間部に軸部８６を備えた腕８４と、これら腕８４を連結する連結部８３とからなる。
【００７８】
案内支持機構１７を係止する板状ホルダ８０は、図５および図１に示すように、開孔７５を設けた平板状の支持プレート７３と、この開孔７５内に配置されるコ字状の支持フレーム７６からなる。支持プレート７３は、極薄の金属板からなり、開孔７５の縁部に斜め上方を向く複数の起立片７４が一体に形成されている。支持フレーム７６は、両側部の嵌合溝７９に起立片７４を嵌合させることによって、位置決めされると共に、起立片７４とメンブレンシート１２との間に狭持される。また、支持フレーム７６は、両側辺部の内側に案内支持機構１７の一対の支承ピン８５を支承する一対の狭持部７７と、一対の摺動ピン９０を摺動可能に案内する摺動段部７８が形成されている。
【００７９】
図４（ｃ）は、図４（ｂ）の配線パターン上に、図４（ａ）の案内支持機構１７を搭載した状態を示す。この実施例の場合は、配線パターンを設けたメンブレンシート１２上に、直に、または必要に応じてレジスト膜を介して、案内支持機構１７を搭載する。案内支持機構１７の摺動ピン９０は、図１に示されるように、支持フレーム７６の摺動段部７８とメンブレンシート１２とで摺動可能に案内される。換言すると、摺動ピン９０がメンブレンシート１２の配線面側の面を摺動するように構成される。同じく、案内支持機構１７の支承ピン８５は、図５に示す支持フレーム７６の狭持部７７とメンブレンシート１２とで回動可能に支承される。換言すると、支承ピン８５がメンブレンシート１２の配線面側の面を回動するように構成される。そこで、図４（ｃ）の点線領域は、支承ピン８５および摺動ピン９０がメンブレンシート１２と接する接触領域を配線領域以外に設定する。図４（ｃ）の点線領域は、前記接触領域を略記したものである。この接触領域１０１，１０２および１０３は、好ましくは、配線１９の領域と、ラバーキャップの鍔部２０を載置する領域を外して設ける。少なくとも、摺動ピン９０を配置する接触領域１０１だけは、配線１９の領域と、ラバーキャップの鍔部２０を載置する領域を外して設けるようにする。
【００８０】
これにより、案内支持機構１７を、絶縁のためのシートを介在させずに直接メンブレンシート１２上にまたはレジスト膜を介して、取り付けることができる。
【００８１】
図１のキートップ１６は、ＡＢＳ樹脂等の合成樹脂からなり、その上面に文字などが刻印または印刷などにより付されている。
【００８２】
キートップ１６の下面には図示のとおりの略π形形状のホルダー２５が係止爪により係止されている。キートップ１６とホルダー２５の間には、図４に示す略中央部分において回動自在に軸承された作動枠８１と作動碗８２からなる略Ｘ字状の案内支持機構１７が設けられ、このキートップ１６を押し下げることにより、案内支持機構１７を介してラバーキャップ１５を上下方向（垂直方向）に均一に押圧できるようになっている。
【００８３】
案内支持機構１７は作動枠８１と作動碗８２に連結部８３または連結部８７を有する。一方の連結部８３はキートップ１６の裏面とホルダー２５の係止爪２６との間に案内・支持され、他方の連結部８７はキートップ１６の裏面およびストッパー２８とホルダー２５に設けた係止爪２７により挟持される。
（動作）
次に、このキーボード用スイッチの動作を図１に基づいて説明する。
先ず、キートップ１６を下方に押圧操作すると、案内支持機構１７を介してラバーキャップ１５の頂部が下方に押下げられていき、ラバーキャップ１５のスカート部２４が変形して座屈し、この座屈動作によってラバーキャップ１５にクリック感が生じる。それに伴い、可動電極２２が第１、第２固定電極１８を橋絡して、第１、第２固定電極１８間が電気的に導通し、スイッチオン状態となる。このとき、ラバーキャップ１５の変形に伴いラバーキャップ１５の内部の空気は、通気孔２３を通じてメンブレンシート１２とベースプレート１１の間の空間２１（Ｂ）内に放出され、その空間２１（Ｂ）内または空間２１（Ｂ）と外部空間を含めた空間で吸収される。
【００８４】
メンブレンシート１２とベースプレート１１とで画成する空間２１（Ｂ）は、電極およびラバーキャップ１５の鍔部２０が載る程度の多少広めの面積領域を占有する固定電極支持体１３およびラバーキャップ支持体１４以外の部分が変動空気量吸収空間になっている。但し、空間２１（Ｂ）はキーボード用スイッチの外部空間とも連通している。このため、先行技術である特許文献１に示されている長孔部の容積とは比べ物にならない大きな容積を有することになる。
【００８５】
そのため、複数のキートップ１６を同時に押圧操作した場合にも、複数のラバーキャップ１５の内部の空気がそれぞれのラバーキャップ１５内の各通気孔２３を通じて空間２１（Ｂ）内に放出され、空気圧変動はその空間２１（Ｂ）内で吸収される。空間２１（Ｂ）内の空気は更にはその先の外部空間に放出される。
【００８６】
このように、キートップ１６の１個または複数個を押圧したとき、ラバーキャップ１５の内部の空気が通気孔２３を通じて空間２１（Ｂ）および外部空間に十分に放出されるので、ラバーキャップ１５の座屈感などが快適な状態で一定に維持される。
【００８７】
次に、スイッチオン状態から、キートップ１６に加えていた押圧力を解除すると、座屈していたラバーキャップ１５が、自身の弾性力で元のキャップ状の形状に復帰し、固定電極１８対の橋絡接触状態をＯＦＦにし、キートップ１６を上方に押し上げ元の位置に戻す。
【００８８】
このとき、それまで座屈変形により、その容積が小さく、空気が少なくなっていたラバーキャップ１５の内部は、通気孔２３を通じて空間２１（Ｂ）および外部空間から空気を取り込み、元のキャップ形状に復帰する。
【００８９】
これにより、ラバーキャップ１５とメンブレンシート１２により画成される空間２９（Ａ）と、メンブレンシート１２とベースプレート１１と連通路を備えた膨出部材支持体１４と固定電極支持体１３により画成され、外部空間と連通する大容量の空間２１（Ｂ）は、通気孔２３を介して連通される。
（第１実施例の効果）
ラバーキャップ１５とメンブレンシート１２により画成される空間２９（Ａ）と、メンブレンシート１２とベースプレート１１と連通路を備えた膨出部材支持体１３と固定電極支持体により画成され、外部空間と連通する大容量の空間２１（Ｂ）は、通気孔２３を介して連通されるので、突出部の反転動作によって大量の空気が移動しても、空間２１（Ｂ）の容量が大きく、連通路に閉塞構造がないので、十分流量の変動を吸収できる。更には、空間２１（Ｂ）は外部空間に開放している。この結果、キートップ１６の節動感（座屈感、クリック感）を失わずに、防塵、防水等の密封構造にすることができるようになる。
【００９０】
また、本発明の支持体は、固定電極支持体１３の周囲に、少なくとも、図３（ｃ）の例でも通路分の４カ所、その他の例ではリング状に通気孔２３を設けることができ、さらに、少なくとも４本の通路で密封した空間２１（Ｂ）に連通するようになっているので、キー配列が多少変動しても通気孔を設ける位置を少なくとも４方向において任意に選択することが可能になる。これにより、前記従来のキー配列の問題を解消することができる。
（第２実施例）
本発明の第２実施例である、膨出部材が、突出部を備える表シートとスペーサシートからなる実施の形態を図６に基づいて説明する。
【００９１】
図６は本発明の第２実施例のキーボード用スイッチの断面図である。
図６において、突出部９４は復帰動作と開閉動作を行い、スカート部９５とスペーサシート９３は、突出部９４が反転動作可能なストロークを確保できるようにすると共に突出部９４をメンブレンシート１２上に支持する機能を有することから、第２実施例における突出部９４とスカート部９５からなる表シート９２とスペーサシート９３の２者は、機能の点から見て、第１実施例におけるラバーキャップに相当するので、同じ膨出部材の概念に含める。
【００９２】
図６に示す本発明のキーボード用スイッチは、その形状から、ドームスイッチとも呼ばれている。このスイッチは、表シート９２とスペーサシート９３とメンブレンシート１２とベースプレート１１から構成される。前記各シート９２、９３、１２およびプレート１１は粘着シートにより固着される。表シート９２は、可撓性を有し、複数の突出部９４が支持用のスカート部９５を介して所定間隔で形成されている。各突出部９４は、外面側に突出するとともに内面側に反転可能なドーム状に形成されている。各突出部９４の内面には、可動電極２２が設けられている。表シート９２は、例えば、ポリエチレンテレフタレート（ＰＦＴ）からなる合成樹脂製シート部材であり、熱プレスを施すことにより突出部が形成される。電極はカーボン等により印刷形成される。
【００９３】
スペーサシート９３は、例えば、ポリエチレンテレフタレート（ＰＦＴ）等の可撓性を有する合成樹脂製のシート部材であり、突出部９４のストローク寸法を確保するための部材として機能するようになっている。
【００９４】
フレキシブルプリント基板（ＦＰＣ）等からなるメンブレンシート１２には、複数の固定電極１８と配線１９が施され、固定電極１８の近傍に貫通して通気孔２３が設けられている。
【００９５】
メンブレンシート１２とベースプレート１１の間には、固定電極１８に対向して固定電極支持体１３が設けられ、スカート部９５およびそれに対応するスペーサシート９３の両者に対応して膨出部材支持体９６が設けられている。
【００９６】
メンブレンシート１２とベースプレート１１は図示しないスイッチケースにより通気孔２３を除いて密封状態に構成される。
【００９７】
これにより、表シート９２とスペーサシート９３とメンブレンシート１２により画成される空間９７と、メンブレンシート１２とベースプレート１１と連通路を備えた膨出部材支持体９６と固定電極支持体１３により画成される大容量の空間２１（Ｂ）は、通気孔２３を介して連通される。膨出部材支持体９６は、図３の第１実施例におけるラバーキャップ支持体１４と同じ構造を備えている。
（第２実施例の効果）
表シート９２とスペーサシート９３とメンブレンシート１２により画成される空間９７と、メンブレンシート１２とベースプレート１１と連通路を備えた膨出部材支持体９６と固定電極支持体１３により画成される大容量の空間２１（Ｂ）は、通気孔２３を介して連通されるので、突出部９４の反転動作によって大量の空気が移動しても、空間２１（Ｂ）の容量が大きいので、十分流量の変動を吸収できる。更に空間２１（Ｂ）は外部空間に開放されているので、空気の移動が極めて容易になる。この結果、キートップの節動感（座屈感、クリック感）を失わずに、防塵、防水等の密封構造とすることができるようになる。
（第３実施例）
図７は、本発明の第３実施例の構成図である。図７（ａ）はメンブレンシートの下面図（裏面平面図）である。図７（ｂ）は図７（ａ）のＣ−Ｃ’で示す長方形領域（点線で図示）の断面図であり、メンブレンシートの裏面（表面側の構成は省略）からベースプレートまでの空間の断面図である。
【００９８】
図７の第３実施例は、第１実施例および第２実施例における、メンブレンシートからベースプレートまでの構造を通気口を除いて完全密封構造とした実施例である。
【００９９】
図７のメンブレンシート１２とベースプレート１１の対向する面のいずれかにこの面の周囲を囲む隔壁１００を設け、メンブレンシート１２とベースプレート１１と隔壁１００により通気孔２３以外に開孔を有しない密封空間を構成する。
【０１００】
図７（ａ）（ｂ）では、メンブレンシート１２の裏面に複数の電極支持体１３と膨出部材支持体９６又はラバーキャップ支持体１４を設け、これらを囲むように裏面の周囲に連続する隔壁１００を設ける。
【０１０１】
隔壁１００は、所定高さを有するように、主に樹脂材料の多層塗り層や接着剤層として形成されたり、導電材料、例えば導電インク、により無線通信のためのアンテナ層として形成する。隔壁１００の平面図における形状は、前記電極支持体、膨出部材支持体、ラバーキャップ支持体を囲むことができれば、任意の形状が採りうる。
（第３実施例の効果）
メンブレンシート１２とベースプレート１１と隔壁１００により構成される大容量の空間２１（Ｂ）は、例えば、ラバーキャップとメンブレンシート１２により画成される空間２９（Ａ）と通気孔２３のみによって連通される。これにより、両空間により密封空間を構成することができる。
【０１０２】
【発明の効果】
本発明の効果を以下詳述する。
（１）  ラバーキャップとメンブレンシートにより画成される空間（Ａ）と、メンブレンシートとベースプレートと連通路を備えた膨出部材支持体と固定電極支持体により画成される大容量の空間（Ｂ）は、通気孔を介して連通されるので、突出部の反転動作によって大量の空気が移動しても、空間（Ｂ）の容量が大きく、且つ、外部に連通しているので、十分流量の変動を吸収できる。この結果、キートップの節動感（座屈感、クリック感）を失わずに、防水、防塵等の密封構造とすることができる。
【０１０３】
また、メンブレンシートとベースプレートの対向面のいずれかの面に、この面の周囲を囲む隔壁を設けると、メンブレンシートとベースプレートと隔壁により、通気孔以外に開孔を有しない密封空間を構成することができ、完全密封構造を構成することができる。
（２）  表シートとスペーサシートとメンブレンシートにより画成される空間（Ａ）と、メンブレンシートとベースプレートと連通路を備えた膨出部材支持体と固定電極支持体により画成される大容量の空間（Ｂ）は、通気孔を介して連通されるので、突出部の反転動作によって大量の空気が移動しても、空間（Ｂ）の容量が大きいので、十分流量の変動を吸収できる。この結果、キートップの節動感（クリック感）を失わずに、防水、防塵等の密封構造とすることができる。
【０１０４】
また、メンブレンシートとベースプレートの間に対向面の周囲を囲む隔壁を設けると、メンブレンシートとベースプレートと隔壁により、通気孔以外に開孔を有しない密封空間を構成することができ、完全密封構造を構成することができる。
（３）  支持体は、固定電極支持体の周囲に、少なくとも、通路分の４カ所、その他の例ではリング状に通気孔を設けることができ、さらに、少なくとも４本の通路で密封した空間（Ｂ）に連通するようになっているので、キー配列が多少変動しても通気孔を設ける位置を少なくとも４方向において任意に選択することが可能になる。これにより、前記従来のキー配列の問題を解消することができる。換言すると、前記支持体は、メンブレンシート下の空間（Ａ）とメンブレンシートの通気孔に連通する通路を複数の異なる位置に設けることができるように構成したので、キー配列が多少変動しても十分に空気を逃がす通路を確保することができる。
【図面の簡単な説明】
【図１】本発明のキーボード用スイッチの断面図である。
【図２】本発明の導電パターンの１実施の形態を示す図である。
【図３】本発明の膨出部材支持体に関する各種タイプの支持体を示す図である。
【図４】本発明の配線パターン上に案内支持機構を設ける説明図である。
【図５】本発明の案内支持機構を係止する板状ホルダの説明図である。
【図６】本発明の第２実施例のキーボード用スイッチの断面図である。
【図７】本発明の第３実施例の構成図である。
【図８】従来のドームスイッチ（キーボード用スイッチ）の構成図である。
【図９】従来のラバーキャップを用いるキーボード用スイッチの構成図である。
【図１０】従来のメンブレン形キーボード用スイッチの構成図である。
【図１１】従来のキー配列を示す図である
【符号の説明】
１１      ベースプレート
１２    メンブレンシート
１３    固定電極支持体
１４    ラバーキャップ支持体
１５    ラバーキャップ
１６    キートップ
１７    案内支持機構
１８    固定電極
１９    配線
２０    鍔部
２１    空間（Ｂ）
２２    可動電極
２３    通気孔
２４、９５    スカート部
２５    ホルダー
２６、２７    係止爪
２８    ストッパー
２９    空間（Ａ）
３１    環状通路
３２、３３、３４、３５    連通路
３６、３７、３８、３９    縦の線状体
４１、４２、４３、４４    横の線状体
４５    交点
４６、４８、４９、５１、５２、５４、５５、５７、６６    直線状線状体
４７、５０、５３、５６    円弧状線状体
５８、５９、６０、６１    リング４分割体
６２、６３、６４、６５    通路
７１    筒状頂部
７２    押圧突起
７３    支持プレート
７４    起立片
７５    開孔
７６    支持フレーム
７７    狭持部
７８    摺動段部
７９    嵌合溝
８０    板状ホルダ
８１    作動枠
８２    作動腕
８３、８７、８８    連結部
８４、８９    腕
８５    支承ピン
８６、９１    軸部
９０    摺動ピン
９２    表シート
９３    スペーサシート
９４    突出部
９６    膨出部材支持体
９７    空間
１００    隔壁
１０１、１０２、１０３      接触領域
【図１】
2005011707.tif 000003
【図２】
2005011707.tif 000004
【図３】
2005011707.tif 000005
【図４】
2005011707.tif 000006
【図５】
2005011707.tif 000007
【図６】
2005011707.tif 000008
【図７】
2005011707.tif 000009
【図８】
2005011707.tif 000010
【図９】
2005011707.tif 000011
【図１０】
2005011707.tif 000012
【図１１】
2005011707.tif 000013